(57)【要約】【課題】  透過光調整シートのパターンや透過光調整シートと光源の位置関係を余りシビアにしないで安価に製造し得ると共に、静電気などによる塵埃の吸着を簡単に除去するなど、メンテナンスの簡単な構造の電飾看板を提供する。【解決手段】  少なくとも一面に開口部１ａを有する箱型のハウジング１内に線状の光源２が設けられ、光源２の開口部と反対面に、全面反射または一部の光を透過し他の光を反射する部分反射の光反射部材７が設けられ、光源２の開口部側に、光源または光反射部材７に着脱自在に固定する固定手段８を有し、光源の近傍で光透過領域５１の面積が小さく、光源から離れるにつれて光透過領域５１の面積が大きくなるように光反射膜パターン５２が形成されたほぼ平板状の透過光調整板５が設けられている。そして、透過光調整板５の光源と反対側に一定の間隙ｄを介して光拡散板４、さらにその表面側に表示パネル３が設けられている。【選択図】        図１
2005055794.tif 000002
【特許請求の範囲】
【請求項１】
一面もしくは相対向する両面に開口部を有する箱型のハウジングと、該ハウジング内に設けられる光源と、該光源の前記開口部の一つと反対面に設けられ、全面反射または一部の光を透過し他の光を反射する部分反射の光反射部材と、前記光源の前記開口部側に設けられ、前記光源または光反射部材に着脱自在に固定する固定手段を有し、前記光源近傍で光の透過面積が小さく、光源から離れるにつれて光の透過面積が大きくなるように光反射膜パターンが形成されたほぼ平板状の透過光調整板と、該透過光調整板の前記光源と反対側に一定の間隙を介して設けられる光拡散板と、該光拡散板の表面側に設けられる表示パネルとからなる電飾看板。
【請求項２】
前記透過光調整板の固定手段が、前記光源の形状に合せたスプリング性のある板材または針金からなる嵌合部材である請求項１記載の電飾看板。
【発明の詳細な説明】
【技術分野】
【０００１】
本発明は、展示や広告などのため、透明フィルムなどに絵や文字などを印刷した表示パネルを背後から照明で照らして表示する電飾看板に関する。さらに詳しくは、製造やメンテナンスが簡単で、しかも既存の電飾看板でも、簡単に表示面の輝度を均一にして美しい表示をすることができる電飾看板に関する。
【背景技術】
【０００２】
駅などの広告に用いられる電飾看板は、たとえば図５に示されるように、蛍光灯の直管（以下、蛍光管という）１０１などの光源を金属板などからなる光反射ケース（ハウジング）１０２内に数本配列し、光拡散板１０３を介して、または直接表示パネル１０４などを照射する構造になっている。このハウジングとしては、たとえばステンレス、アルミニウムなどからなる金属板により表面側を開口した箱状に形成され、その内部に蛍光管１０１などが設けられている。そして、ハウジングの内部には、光反射材が塗布され、蛍光管からの光が無駄なく正面側に設けられる表示パネル１０４を照射することができるように形成されている。
【０００３】
このような電飾看板は、用途により種々の大きさのものがあるが、たとえば駅などの広告用に設けられる電飾看板などで一般的なものは、１１０ｃｍ×１６０ｃｍ程度で、その厚さが１５〜２０ｃｍ程度の大きさになっており、その内部に６５Ｗの蛍光管が３〜４本程度並べられている。厚さをこれより薄くできないのは、薄くすると蛍光管と表示パネルとの距離が近くなり、蛍光管近傍の表示パネルが明るく、蛍光管から離れた部分の表示パネルは暗くなって、表示パネルの画像にランプイメージが現れ、表示の見栄えが非常に低下する、という理由に基づいている。しかし、蛍光管と表示パネルとの間隔は、一般的には、蛍光管の間隔と同程度必要と言われており、ワット数が大きく光源のピッチが大きい大形の電飾看板では、１５〜２０ｃｍ程度の厚さにしても蛍光管と表示パネルとの間隔が狭く、蛍光管のイメージが出て、美しい表示をすることができない。
【０００４】
一方、図６に示されるように、蛍光管などの表示パネル側では遮光量を多くし、側面側では遮光量を少なくするように遮光膜パターン１０５ｂを設けた特殊調光ランプカバー１０５を蛍光管１０１などに被せることにより、光源と表示パネルとの距離が小さくても表示パネル側を均一にする看板用光源が知られている（たとえば特許文献１の図９および図１０参照）。また、図７に示されるように、線状光源１０１の近傍で透過光が抑制され、光源から離れるにつれて透過光が多くなるように光透過領域１０６ａと光反射膜パターン１０６ｂとが形成され、透過光が調整された透過光調整シート１０６と光反射シート１０７とを端部で接合し、その透過光が抑制される部分に蛍光管１０１などの光源を固定することにより、光源と表示パネルとの距離を殆ど設けることなく表示パネルの全面を均一に照射する面光源の均一化装置も考えられている（たとえば特許文献１の図１参照）。
【特許文献１】特開２００３−１２３５２６号
【発明の開示】
【発明が解決しようとする課題】
【０００５】
前述のように、蛍光管などに直接特殊調光ランプカバーを被せる方法では、蛍光管の頂面（表示面側に向いた面）が遮光されるため、ランプイメージを軽減するという効果は得られるが、反射させた光を再利用するというものではなく、蛍光管の明るい部分の光を吸収して照度（輝度）を落しているだけで、表示パネル全体としての輝度は低下し、とくに蛍光管の間隙部では非常に輝度が低下するという問題がある。
【０００６】
また、透過光調整シートと光反射シートとを端部で接合してその一部に蛍光管などの光源を固定する構造では、透過光調整シートのパターンが精密に形成されていると、光源と殆ど接する状態で、大きな面状光源の全面をほぼ均一な輝度にすることができると共に、透過光調整シートに設けられる光反射膜パターンと光反射シートとにより光源の光を反射せながら有効に利用することができるため、無駄なく明るい表示をすることができ非常に均一な面光源が得られる。しかし、透過光を調整する光反射膜パターンを形成するため、全面に設けられたＡｌなどの反射膜をパターニングするのに、安価で大量生産に適したグラフィック印刷などによりマスクを形成しようとすると、印刷ズレなどの問題が生じ、正確なパターンを形成することができないし、パターンの中心線に光源が配置されないと均一な面光源にならない。一方、正確な光反射膜パターンで透過光調整シートを形成し、正確な位置に光源を配置しようとすると、高価になるという問題がある。
【０００７】
さらに、蛍光管などを光源として用いると、静電気により塵埃が引き寄せられ、光反射シートなどに付着して、光反射能力が低下するが、透過光調整シートと光反射シートとが端部で貼り付けられているため、掃除をし難くメンテナンスが困難であるという問題がある。しかも、電飾看板は野外に設置される場合が多く、静電気による塵埃の付着は深刻な問題になる。
【０００８】
さらに、既存の電飾看板の見栄えを向上させる場合には、電飾看板の奥行きを極端に短くすることが可能でも、既存のケースを変えなければならないため、極薄型化が可能な面光源の均一化装置を用いても従来のハウジングのままではあまり意味がない。一方、前述のように、従来の電飾看板は本来の光源と表示パネルとの間隔を充分にはとっておらず、さらにはスペースの関係で奥行きを取ることができないなどの理由で、表示品位を犠牲にしながら電飾看板の奥行きが小さく形成され、表示パネルの輝度の均一性が得られていない。そのため、蛍光管のイメージが現れるという状況になっており、ハウジングそのものは従来のまま使用しながら、表示パネルの表示を均一な輝度できれいに表示したいという要望が非常に多い。
【０００９】
本発明は、このような状況に鑑みてなされたもので、透過光調整シートのパターンや透過光調整シートと光源の位置関係を余りシビアにしないで安価に製造することができると共に、静電気などによる塵埃の吸着を簡単に除去するなど、メンテナンスの簡単な構造の電飾看板を提供することを目的とする。
【００１０】
本発明の他の目的は、既存の電飾看板で光源イメージを除去するなど、既存の電飾看板の表示品質を簡単に向上させることができる構造の電飾看板を提供することにある。
【課題を解決するための手段】
【００１１】
本発明による電飾看板は、一面もしくは相対向する両面に開口部を有する箱型のハウジングと、該ハウジング内に設けられる光源と、該光源の前記開口部の一つと反対面に設けられ、全面反射または一部の光を透過し他の光を反射する部分反射の光反射部材と、前記光源の前記開口部側に設けられ、前記光源または光反射部材に着脱自在に固定する固定手段を有し、前記光源近傍で光の透過面積が小さく、光源から離れるにつれて光の透過面積が大きくなるように光反射膜パターンが形成されたほぼ平板状の透過光調整板と、該透過光調整板の前記光源と反対側に一定の間隙を介して設けられる光拡散板と、該光拡散板の表面側に設けられる表示パネルとからなっている。
【００１２】
ここに透過光調整板とは、光源の近くでは透過光を抑制し、水平面内で光源から離れるにつれて透過光を多くするように、透明基板に光反射膜パターンが形成されたり、反射率の大きい金属板にパンチングなどで孔をあけて光透過領域が形成されたもので、光反射膜パターンなどにより反射された光は光源に関して反対面に設けられる光反射部材との間で反射を繰り返して、有効に利用しながら、表面側から面内でほぼ均一に照射し得るものを意味する。なお、透過光調整板は、たとえば１ｍｍ程度厚の腰のあるものが好ましいが、板状体に直接透過光領域が直接形成されていないで、光反射膜パターンが形成されたシートを板状の透明板に貼り付けられたものでもよいし、光反射膜パターンが形成された透明シートの周囲に枠状部分が貼り付けられて平板性を維持し得るものでもよい。
【００１３】
また、光反射部材は、高反射率の光反射シートでもよいし、Ａｌ板などの反射率の大きい金属板、アルミナなどの金属酸化物、透過光調整板に設けられる光反射膜パターン、光反射性金属または塗装などにより反射しやすく処理されたハウジングの内壁などを含む意味である。
【００１４】
前記透過光調整板の固定手段が、前記光源の形状に合せたスプリング性のある板材または針金からなる嵌合部材であれば、既存の電飾看板にも簡単に取り付けられるため好ましい。
【発明の効果】
【００１５】
本発明によれば、透過光調整板と光拡散板との間に、たとえば１０ｍｍ程度以上の一定間隙を設けているため、透過光調整板の光反射膜パターンを厳密に形成しなくても、また、透過光調整板と光源との相対的位置が厳密でなくても、その間隙部での光の拡散および光拡散板での光の拡散により非常に均一な表示をすることができる。しかも、透過光調整板が設けられているため、光源の光を無駄なく反射させながら表面側に均一に照射させることができ、一定間隙は１０ｍｍ程度あれば充分に表面で均一にすることができる。そのため、厳密な光反射膜パターンを形成したり、透過光調整板と光源との相対位置を厳密に組み立てたりしなくても、非常に薄い（奥行きの浅い）電飾看板を得ることができる。すなわち、従来構造の透過光調整板のない電飾看板では、光源と光拡散板との距離が１５０ｍｍは必要であったため、全体の厚さが２００ｍｍ程度であったのが、本発明では、蛍光管の太さを３０ｍｍ程度としても全体で５０ｍｍ程度の厚さに形成することができる。
【００１６】
さらに、本発明によれば、透過光調整板を光源または光反射部材に着脱自在に取り付けることができるため、既存の電飾看板でも、蛍光管などに透過光調整板を嵌め込むだけで、面内の輝度を均一化することができ、光源のイメージなどが映り込むことなく、非常に美しい表示をすることができる。すなわち、従来構造では、前述のように、光源と光拡散板との距離が１５０ｍｍ以上は必要であったが、それでも光源とする蛍光管の間隔が広い場合などでは、表示面の輝度が均一にならないし、また、スペースの関係である程度表示特性の犠牲の上で狭い間隔で形成されており、表示面の輝度が均一でなく、きれいな表示画像でない場合が多い。このような場合でも、蛍光管などに透過光調整板を嵌め込むだけで、均一な輝度できれいに表示をすることができる。
【００１７】
以上のように、厳密な反射膜パターンを形成しなくてもよく、また、透過光調整板と光源との相対的位置関係を厳密に合せなくてもよいため、非常に簡単に製造することができ、安価に製造することができながら、従来構造より非常に薄型で、表示面が均一な輝度で美しい電飾看板が得られる。さらに、既存の電飾看板でも透過光調整板を嵌め込むだけで、表示面を均一な輝度にすることができ、表示画面を非常に美しくすることができる。また、透過光調整板を簡単に着脱することができるため、静電気などにより塵埃が付着しても、透過光調整板を取り外して清掃することができ、メンテナンスを容易にすることができる。
【発明を実施するための最良の形態】
【００１８】
つぎに、図面を参照しながら本発明による電飾看板について説明をする。本発明による電飾看板は、図１にその一実施形態の表示パネルなどを除去した状態の平面、（ａ）のＢ−Ｂ断面、および固定手段８部の拡大の各説明図がそれぞれ示されるように、少なくとも一面に開口部１ａを有する箱型のハウジング１内に線状（棒状）の光源２が設けられている。そして、その光源２の開口部１ａと反対面に、全面反射または一部の光を透過し他の光を反射する部分反射の光反射部材７が設けられ、光源２の開口部１ａ側に、光源２または光反射部材７に着脱自在に固定する固定手段８を有し、光源２の近傍で光透過領域５１の面積が小さく、光源２から離れるにつれて光透過領域５１の面積が大きくなるように光反射膜パターン５２が形成されたほぼ平板状の透過光調整板５が設けられている。そして、透過光調整板５の光源２と反対側に一定の間隙ｄを介して光拡散板４、さらにその表面側に表示パネル３が設けられている。この表示パネル３の表面には、表示パネル３を保護する透明カバー６が設けられている。
【００１９】
ハウジング１は、たとえば１ｍｍ程度の厚さのアルミニウム、ステンレスなどの金属板で箱型に形成したものを用いることができるが、数ｍｍ厚程度（たとえば３ｍｍ）の段ボールまたは多数の紙を貼り合せた複合紙などにより形成することもできる。大きさは、用途により所望の大きさにすることができる。すなわち、大きいものが必要な場合は、蛍光管などの光源を何本も並列に並べることにより所望の長さの電飾看板にすることができる。図１に示される例では、ハウジング１が一体もので形成された図になっているが、光拡散板４や表示パネル３などを固定する部分を、嵌込み金具またはネジなどによる取付構造にしたり、ハウジング１の光拡散板４の部分を蝶番で開閉自在に取り付けたりする構造にすることもできる。なお、ハウジング１の厚さは、光源２とする蛍光管の太さが約３０ｍｍ程度と、透過光調整板５と光拡散板４との間隔ｄが１０ｍｍ程度と、光拡散板４が数ｍｍ程度などが主で、薄くする場合には、全体で５０ｍｍ程度で形成することができる。なお、既存の電飾看板を補修する場合など、前述の間隔ｄは大きくする場合はいくらでも構わない。
【００２０】
光源２は、最も簡単な例として、通常の棒状の蛍光管を用いることができる。蛍光管であれば、６Ｗ（長さ２１０ｍｍ）から１１０Ｗ（長さ２３６７ｍｍ）まで種々の規格品があり、表示する表示パネル３の大きさおよび所望の明るさに応じて、必要な大きさの光源２を必要な間隔で配置することができる。なお、光源２としては、蛍光管に限らず、他の冷陰極間や熱陰極間、ＬＥＤを線状に並べたものなど、線状（棒状）の光源２を用いることができる。なお、たとえば蛍光管を用いる場合、図１に示されるように、ハウジング１に取り付けられたソケット２１に蛍光管が嵌め込まれることにより固定され、その蛍光管を駆動するインバータ、安定器、グロー電球などの電材部品が必要であるが、図示されていないものの、まとめてハウジング１の側壁に接着テープなどにより固定されている。
【００２１】
表示パネル３は、透明なフィルムシートにカラーなどで文字や図形など、表示する画像が印刷されたもので、背面側から照明により照らされることにより鮮やかに表示するものである。光拡散板４は、たとえば乳半と呼ばれる３ｍｍ程度の厚さのアクリル樹脂（ＰＭＭＡ）、ポリエチレンテレフタレート（ＰＥＴ）、ポリカーボネート（ＰＣ）、乳白色ガラスなどの板状体からなり、背面側からの光があらゆる方向に拡散するように設けられている。この光拡散板４は、厚い方が下面からくる斜め方向の光でも指向性のない光とすることができるため好ましいが、光ムラが小さければ、薄いビニールシート（ＦＦシート）などの光拡散シートまたは乳白色シートでもよい。表示パネル３の表面側には、表示パネル３を保護するためのアクリル板またはガラス板などからなるフィルム状または数ｍｍ程度厚の透明カバー６が、たとえばハウジング１などに固定されている。
【００２２】
透過光調整板５は、たとえば１００μｍ程度の厚さのポリエチレンテレフタレート（ＰＥＴ）などからなる透明シートの一面に、透過光調整パターンが形成された透過光調整シートが、１ｍｍ厚程度のポリカーボネートなどの耐熱性があり透明な基板に貼り付けることにより形成されている。透過光調整シートは、たとえばＡｌなどからなる光反射膜がＰＥＴの表面に真空蒸着などにより全面に設けられ、その光反射膜の一部をエッチングなどにより除去することにより形成される。たとえば図１（ａ）にその平面説明図が模式的に示されるように、光源２の近傍では光透過領域５１の面積が小さく、光源２から遠くなるにつれて、光透過領域５１の面積が大きくなるように光透過領域５１が形成され、除去されない部分は光反射膜がそのまま残存し、光反射膜パターン５２として残されている（図では、光透過領域５１を円内で示し、円外の隣接する円で挟まれた部分が光反射膜パターン５２になっている）。
【００２３】
なお、図１では模式的に示されているが、実際には光透過領域５１は非常に細かいパターンで形成されている。このように透過光が調整されたシートが前述のように、ポリカーボネートなどの耐熱性のある透明基板に、たとえば超音波などにより部分的に貼着されている。
【００２４】
この例に示されるように、透明シートに反射膜パターンを形成すれば、全面に形成されたＡｌ膜などをエッチングするためのマスクをグラフィック印刷などにより形成することができ、非常に簡単に量産することができるため好ましい。しかし、このような構成でなくても、光透過領域５１が、光源２から遠ざかるにつれて大きくなり、表面側にほぼ均一な光照射が行われるようなパターンに形成され、その背面側に設けられる光反射シート７とで反射を繰り返しながら、表面から均一に光が照射されればよく、たとえばＡｌなどの光反射性の優れた金属板にパンチングにより光透過領域５１を形成する構造のものでもよいし、ＰＥＴなどの厚い透明基板に直接透過光調整パターンが形成されているものでもよい。また、光透過領域５１の形状も円形に限らず、矩形状でもスリット状でもよい。さらに、反射膜パターンを円形などの形状で透明シートに白色シルク印刷または白色インクジェット印刷などで形成してもよい。要は表面からできるだけ均一に光が照射されるパターンが形成されていればよい。
【００２５】
図１に示される例では、透過光調整板５がほぼ突き当てで連続して各光源２に取り付けられているが、必ずしも全面に形成されていなくても、端部側では透過光調整板５がなくても構わない。すなわち、端部にいくほど光が弱くなるため、透過光調整板５の光透過領域の面積も大きくなるが、端部では殆ど全面に光透過領域になっても、一定間隙ｄが設けられているため、光拡散によって不均一性が緩和される。そのため、厳密な透過光調整パターンでなくてもほぼ均一な照射をすることができ、透過光調整板５の端部がなくても構わない。たとえば、光源２の間隔が３００ｍｍ程度ある場合、透過光調整板５の幅が１００ｍｍ程度で２００ｍｍ程度の幅があいても構わない。
【００２６】
透過光調整板５には、光源２などに固定するための固定手段８が設けられている。固定手段８は、図１に示される例では、蛍光管両端部の金属リング部分に嵌合する金具８０により形成されている。すなわち、スプリング性のある板バネにより、蛍光管２の外径よりやや小さい内径を有する嵌合部８１と共に、透過光調整板５との固定部８２が設けられ、図１に示される例では、この固定部８２が止め金具８３にネジ８４で固定されると共に、止め金具８３が別のネジ８５により透過光調整板５にしっかりと固定される構造になっている。このように、嵌合部８１を有する金具８０が透過光調整板５に取り付けられているため、この嵌合部８１を蛍光管の金属リング部分に嵌め込むだけで、簡単に透過光調整板５を固定することができる。
【００２７】
透過光調整板５の幅（線状光源２の方向と直角方向の長さ）が大きい場合、光源２に固定するだけでは、両端部を支えきれない場合がある。このような場合、図１に示されるように、光反射板７もしくはハウジング１に、または透過光調整板５の両端部に支持部材８６を線状光源２の長手方向に沿って適当な数だけ形成しておくことにより、透過光調整板５が両端部で垂れることがなく、平面を維持することができる。支持部材８６としては、光を透過するプラスティック材料などを用いることができる。
【００２８】
蛍光管の金属リング部分のように、光を放射しない部分で固定する場合には、遮光の心配がないため、板バネのようなしっかりとした金具で、しっかりと固定することができるため好ましい。しかし、蛍光管が長くて蛍光管の管軸方向で撓みの心配がある場合や、光源２の金属リング部分が小さい場合など、しっかりとした金具を嵌め込むことができない場合には、図２に示されるように、スプリング性のある線径が１ｍｍφ程度の針金で光源２に嵌め込む嵌合部８７が形成された金具８９を用いることができる。図２に示される例では、この金具８９は、透過光調整板５の通し孔に挿入するだけで、固定部がないため、嵌合部８７を光源２に嵌め込んだり、光源２から外す作業をしやすいように、操作部８８が形成されている。このように細い金具により固定手段８が形成されることにより、光源２の発光部で固定する場合でも、光を殆ど遮断することなく透過光調整板５を固定することができる。
【００２９】
また、この固定手段８は、光源２に固定する手段には限定されない。すなわち、後述するように、光反射部材７が光反射板などからなり、端部で斜め方向に折り曲げられている場合には、図４に示されるように、透過光調整板５の端部を折り曲げておくことにより、その折曲げ部５ａを、光反射部材７の折曲げ部７ａに嵌め合せて固定することもできる。この場合、この折曲げ部５ａが固定手段になる。
【００３０】
光反射部材７は、前述のように、光源２から出る光を反射して、透過光調整板５の光透過領域５１から放射させるもので、光吸収をしないで、できるだけ光反射率が大きい材料が好ましい。たとえば古河電気工業株式会社製の商品名ＭＣＰＥＴ（超微細発泡光反射板）が、１〜２ｍｍ程度の厚さで、耐熱性、機械的強度もあり好ましい。また、たとえば東レ株式会社製の商品名Ｅ６０（１８０μｍ程度厚のポリエステルの発泡シート）に０.３ｍｍ程度厚のＡｌ板などを裏打ちしたもの、金属シートまたは樹脂シートの表面にＡｌやＡｇなどを蒸着して鏡面仕上げしたものなどでも同様に用いることができる。さらに、このような特殊の反射シートが用いられなくても、反射率の大きい金属板を用いたり、ハウジングの内壁を平滑面にしたり、内壁に反射塗料を塗布するなど反射をしやすくすることにより、反射部材として利用することもできる。
【００３１】
この光反射部材７は、光源２のピッチ（間隔）が、たとえば３００ｍｍ以上など大きい場合で、透過光調整板５の端部が光源２から離れる場合には、図３に示されるように、その端部を折り曲げて折曲げ部７ａが形成されることが、光源２からの光を有効に利用できる点から好ましい。すなわち、透過光調整板５の端部側では光が逃げて光量が落ちやすいが、折曲げ部７ａが設けられることにより光源２からの光を有効に利用することができる。このように、折曲げ部７ａを形成しながら、前述のように、透過光調整板５の端部を除去することもできる。そうすることにより、端部側での光量の低下をさらに補うことができる。なお、反射部材７が板状であれば、その端部を折り曲げることができるが、板状でない場合には、台形状の反射物を載置することもできる。
【００３２】
光反射部材７は、また、上述のような反射を目的としたほぼ全面で反射するものには限定されず、たとえば前述の透過光調整板５の光反射膜パターン５２を反射部材として用いることもできる。すなわち、両面を表示面とする電飾看板の場合には、光源２を挟んで両面に透過光調整板５が設けられることにより、両方の透過光調整板５の光反射膜パターン５２により反射を繰返しながら、透過光調整板５のいずれかの光透過領域５１から光が出射され、両面で均一な照射をすることができる。すなわち、透過光調整板５の一方の光反射膜パターンが、他方の透過光調整板５に対する光反射部材７として作用する。このように、光反射部材７は、透過光調整板５と共に、その間で反射を繰り返しながら、光透過領域５１から照射される光が面内でほぼ均一になるように、光の反射を繰り返すために設けられている。
【００３３】
本発明によれば、蛍光管などの光源または反射部材に着脱自在に透過光調整板を固定することができるため、既存の電飾看板でも、簡単に透過光調整板を取り付けることができ、非常に表示パネルを均一に照射することができる。しかも、透過光調整板と光拡散板との間に一定間隙が設けられる構造になっているため、透過光調整板の光反射膜パターンが厳密に形成されていなくても、また、透過光調整板と光源との位置関係が厳密に合せられていなくても、間隙部で光拡散がなされ、さらに光拡散板で光拡散がなされるため、面内で非常に均一な輝度となる。その上、透過光調整板により透過光がほぼ均一になるように調整されているため、間隙部は１０ｍｍ程度と非常に狭い間隔で均一にすることができ、従来の電飾看板のように間隔を大きくあける必要がない。一方、間隙部が広くても光の拡散空間が広くなり、より均一化されるだけであるため、既存の電飾看板でも、透過光調整板を嵌め込むだけで、表示パネルを非常に均一に照射することができる。
【産業上の利用可能性】
【００３４】
本発明は、駅や公共の場所で広告用の看板として、また、室内での展示物やショーなどの看板として利用することができる。
【図面の簡単な説明】
【００３５】
【図１】本発明による電飾看板の一実施形態を説明する図である。
【図２】図１に示される固定手段の他の構成例を示す図である。
【図３】図１に示される反射部材の他の構造例を示す図である。
【図４】図１に示される固定手段の他の構成例を示す図である。
【図５】従来の電飾看板の構成例を説明する図である。
【図６】従来の電飾看板において、光源近くの異常発光を抑制する例の説明図である。
【図７】従来の面状光源における均一化装置の一例を説明する図である。
【符号の説明】
【００３６】
１    ハウジング
２    光源
３    表示パネル
４    光拡散板
５    透過光調整板
７    光反射部材
８    固定手段
【図１】
2005055794.tif 000003
【図２】
2005055794.tif 000004
【図３】
2005055794.tif 000005
【図４】
2005055794.tif 000006
【図５】
2005055794.tif 000007
【図６】
2005055794.tif 000008
【図７】
2005055794.tif 000009